(57)【特許請求の範囲】
【請求項１】
駆動プーリと従動プーリの間にテンションプーリを配置し、該テンションプーリにより駆動プーリと従動プーリの間に巻回したベルトを緊張・弛緩して動力伝達を入り・切りし、該ベルトを弛緩したときに、該駆動プーリ及び従動プーリの少なくとも一方と、ベルトとの隙間を適正に保つベルト押えを、該駆動プーリと従動プーリの近傍に配置したテンションクラッチ機構を複数組設けた農業機械において、該複数組みのテンションクラッチ機構の、各駆動プーリ及び従動プーリの組を、組毎にそれぞれ別の色とし、更に、該各テンションクラッチ機構のベルト押えの組を、前記駆動プーリ及び従動プーリの組の色と同じ塗装とし、ベルト交換時において取り外す必要のない他の部品である本機仕組の色を、前記各駆動プーリ及び従動プーリの組、及び各テンションクラッチ機構のベルト押えの組とは、異なった着色とし、該駆動プーリ及び従動プーリの組と、該ベルト押えの組の色は、前記本機仕組の色に対して、識別可能な明るい色としたことを特徴とする農業機械のテンションクラッチ。
【発明の詳細な説明】
【技術分野】
【０００１】
本発明は、農業機械のテンションクラッチ、詳しくはベルト交換時の取り外し部品配色の技術に関する。
【背景技術】
【０００２】
従来、コンバインやトラクタ等の農業機械は、一つの駆動源により、機体の走行と作業部の駆動を行うように構成されている。例えば、コンバインは１台のエンジンにより、機体の走行と、穀稈の刈取と搬送を行う刈取部、脱穀部、選別部又は穀粒排出部などの作業機部を駆動している。このため、該エンジンと各作業機部の間の動力伝達経路にクラッチを配置し、動力の伝達を入り・切り操作して、該機体の前進・後進走行、穀稈の刈取・脱穀・穀粒排出等の必要な作業が行えるようにされている。
【０００３】
前記クラッチとして、駆動側のプーリと従動側のプーリとの間に掛け渡されたベルトの張力を変えることにより、該駆動側のプーリから動力を該従動側のプーリに伝達（入り）・遮断（切り）するテンションクラッチが用いられている。
【０００４】
前記ベルトは、長時間の製品使用により磨耗や材質劣化（伸び）が発生するので、定期的に交換しなければならない。通常、ベルト交換作業においては、テンションクラッチが農業機械の内部に配置されることが多くその周辺構造も複雑であり、作業者は交換の際に取り外す部品を間違えることもある。また、交換後には、ベルトの掛け間違い生じる、又は部品の取り付け間違いを起こすこともある。このようにベルト交換作業は、間違いも多く、長時間を要し、煩雑な作業である。
【０００５】
ベルト交換作業改善の観点から、特許文献１では、メンテナンスのため刈取部を開放する際に、ロック機構で固定して作業者の安全を守るコンバインを開示している。該コンバインは、例えばメンテナンス作業を圃場の平坦でないところでも、作業者が安全に作業を行うことができ、メンテナンス時の作業性を向上している。
【０００６】
一方、近年では、農業機械分野において、誰もが使い易い機械でなければならないという認識が高まっている。女性・高齢者・新規就農者、つまりどんな人間でも、使い易いというコンセプトによる設計が望まれている。さらに、農業機械のメンテナンスについても、作業が楽であるという観点からの改良が望まれている。
【特許文献１】特開２００４−１０５１９６号公報
【発明の開示】
【発明が解決しようとする課題】
【０００７】
そこで、解決しようとする課題は、農業機械のテンションクラッチのベルト交換作業時において、交換作業性を向上させることである。
【課題を解決するための手段】
【０００８】
本発明の解決しようとする課題は以上の如くであり、次にこの課題を解決するための手段を説明する。
【０００９】
駆動プーリと従動プーリの間にテンションプーリを配置し、該テンションプーリにより駆動プーリと従動プーリの間に巻回したベルトを緊張・弛緩して動力伝達を入り・切りし、該ベルトを弛緩したときに、該駆動プーリ及び従動プーリの少なくとも一方と、ベルトとの隙間を適正に保つベルト押えを、該駆動プーリと従動プーリの近傍に配置したテンションクラッチ機構を複数組設けた農業機械において、該複数組みのテンションクラッチ機構の、各駆動プーリ及び従動プーリの組を、組毎にそれぞれ別の色とし、更に、該各テンションクラッチ機構のベルト押えの組を、前記駆動プーリ及び従動プーリの組の色と同じ塗装とし、ベルト交換時において取り外す必要のない他の部品である本機仕組の色を、前記各駆動プーリ及び従動プーリの組、及び各テンションクラッチ機構のベルト押えの組とは、異なった着色とし、該駆動プーリ及び従動プーリの組と、該ベルト押えの組の色は、前記本機仕組の色に対して、識別可能な明るい色としたものである。
【発明の効果】
【００１０】
本発明の効果として、以下に示すような効果を奏する。
【００１１】
駆動プーリと従動プーリの間にテンションプーリを配置し、該テンションプーリにより駆動プーリと従動プーリの間に巻回したベルトを緊張・弛緩して動力伝達を入り・切りし、該ベルトを弛緩したときに、該駆動プーリ及び従動プーリの少なくとも一方と、ベルトとの隙間を適正に保つベルト押えを、該駆動プーリと従動プーリの近傍に配置したテンションクラッチ機構を複数組設けた農業機械において、該複数組みのテンションクラッチ機構の、各駆動プーリ及び従動プーリの組を、組毎にそれぞれ別の色とし、更に、該各テンションクラッチ機構のベルト押えの組を、前記駆動プーリ及び従動プーリの組の色と同じ塗装とし、ベルト交換時において取り外す必要のない他の部品である本機仕組の色を、前記各駆動プーリ及び従動プーリの組、及び各テンションクラッチ機構のベルト押えの組とは、異なった着色とし、該駆動プーリ及び従動プーリの組と、該ベルト押えの組の色は、前記本機仕組の色に対して、識別可能な明るい色としたので、農業機械のテンションクラッチのベルト交換作業時において、取り外す部品が容易に判別でき、間違って不要な部品まで取り外すことがなく、確実に迅速にベルト交換が可能となる。
また、取り付ける場合にも、作業者は間違って取り付けることがなく、作業効率を向上できる。
つまり、ベルト押えが周囲の部品とは異なった配色なので、ベルトの通し方を誤ることがなく、プーリとベルトとの隙間が確認し易い。
【００１２】
また、複数箇所のテンションクラッチのベルト交換作業時に、作業者は、間違って他のベルト押え等を取り付けることがなく、また、支持部品の取り付け箇所が色によって容易に識別できるので、作業効率を向上できる。
【００１３】
また、ベルト交換時にベルト押えやベルトを外してしまっていても、駆動プーリ、従動プーリ、テンションアーム又はテンションプーリが、ベルト押えと同色に配色されているので、取り付ける場合にも、作業者は間違って取り付けることがなく、作業効率を向上できる。
【００１４】
また、交換作業時に作業者が、どの箇所のベルトをどこへ取り付ければよいのか容易に判断でき、作業効率を向上できる。
【発明を実施するための最良の形態】
【００１５】
次に、発明を実施するための最良の形態を説明する。
【００１６】
図１は本発明の実施例に係るコンバインの全体的な構成を示した側面図、図２はコンバインのテンションクラッチの配置を示した伝動経路図である。
【００１７】
図３は脱穀部のテンションクラッチの概略斜視図である。図４は同じく側面図である。
【００１８】
なお、図３では説明をしやすいように、それぞれの部品は分離して示している。
【００１９】
図１に示すように、本発明に係る農業機械のコンバイン１００について、全体構成について説明する。本発明に係るコンバイン１００において、クローラ式走行装置１上には機体フレーム２が載置され、この機体フレーム２の前端には刈取部３が昇降可能に配設されている。この刈取部３の前端からは穀稈を分草するための分草板４が突出しており、この分草板４の後部には引起しケース５（引起し装置）が立設されている。そして、引起しケース５からはタイン６が突出しておいり、このタイン６が引起しケース５の周りを回動することにより穀稈を引き起し、前記分草板４後部に配設される刈刃７により穀稈の株元を刈り取る構成となっている。
【００２０】
機体側方（左側方）には、脱穀用穀稈を搬送するフィードチェーン９が設けられており、刈取部３で刈り取られた穀稈は、下部搬送装置８ａ、上部搬送装置８ｂ、縦搬送装置８ｃにより後方へ搬送され、株元が縦搬送装置８ｃの後上端からフィードチェーン９に受け継がれて脱穀部１２内に搬送される。すなわち、フィードチェーン９の上方には、搬送される穀稈を挟扼する挟扼杆（図示略）が複数の弾性支持体（図示略）を介して下方に付勢された状態で設けられており、縦搬送装置８ｃからフィードチェーン９の搬送始端部に供給された穀稈は、フィードチェーン９において挟扼杆２１とともに株元側を挟扼されながら後方へ搬送され、脱穀部１２において機体前後方向を回転軸方向として設けられる扱胴１２ａにより脱穀される。扱胴１２ａは、脱穀部１２における扱室内に設けられており、該扱室は左側方を開放可能な扱室カバー（図示略）に覆われている。また、フィードチェーン９の後端には排藁チェーン１０が配設されており、この排藁チェーン１０の後部下方には排藁カッター（図示略）、拡散コンベア（図示略）等からなる排藁処理部が形成されている。この排藁処理部により、排藁を切断して藁片にした後、拡散しながら圃場に均一放出、あるいは切断せずに放出するようにしている。
【００２１】
前記脱穀部１２の下方には選別部が配設されており、この選別部によって脱穀部１２から流下する穀粒や藁屑などから穀粒を選別し、選別後の穀粒を脱穀部１２の側方に配設されるグレンタンク１３に搬送して貯溜したり、藁屑などを機外に排出したりするようにしている。
【００２２】
排出部１５としては、前記グレンタンク１３後方に構成され、縦排出オーガ１７が立設されている。この縦排出オーガ１７を中心にしてグレンタンク１３が側方へ回動可能とされており、機体内部側に配置される駆動系や油圧系のメンテナンスが容易に行われるようになっている。グレンタンク１３の底部には排出コンベア（図示略）が前後方向に配設されており、この排出コンベアから排出部１５に動力を伝達することで、排出部１５に設けられた排出口１９から外部へグレンタンク１３内の穀粒を排出できるようにしている。排出部１５は、主に、下端が前記排出コンベアと連通され穀粒を縦送りする前記縦排出オーガ１７と、この縦排出オーガ１７の上端に連通されて穀粒を横送りする横排出オーガ１８とからなり、グレンタンク１３の後側に立設された縦排出オーガ１７の上端に、横排出オーガ１８の基端側が上下回動可能に枢着されている。縦排出オーガ１７は、機体フレーム２に対して旋回可能に枢着されている。これらにより、任意の場所へ穀粒を排出することが可能となっている。
【００２３】
また、グレンタンク１３の前方には運転部１４が構成されており、この運転部１４においては、操向ハンドル１６、走行変速レバー、刈取クラッチレバー、脱穀クラッチレバー等が配設されるとともにシート２０が設けられている。
【００２４】
図２は、例えば、エンジン３０を駆動源とする前記コンバイン１００の駆動系統を示している。前記コンバイン１００の走行駆動系は、走行ミッション２２及び走行用無段変速機２３（以下、ＨＳＴとする）より構成され、前記クローラ式走行装置１を駆動する。エンジン３０からＨＳＴ２３への動力は、出力軸３１上に固設した駆動プーリからベルトを介して従動プーリへ伝動する、ベルト伝動機構にて行われる。前記脱穀部１２の駆動系は、エンジン３０の出力軸３１より該出力軸３１上に固設した駆動プーリ５１より、脱穀クラッチ４２を介して、従動プーリ５２へ伝えられる。つまり、脱穀部１２の駆動は、ベルト伝動機構を介して伝えられ、このベルト伝動機構にはベルトテンションクラッチが備えられている。そして、エンジン３０からの動力は脱穀クラッチ４２を介して脱穀部１２を駆動すると同時に、選別部２４、送塵口処理胴２７と、フィードチェーン９を駆動させるフィードチェーン駆動ケース２６に伝動される。さらに、脱穀部１２の駆動系からは、ベルト伝動機構及びベベルギアを介して排藁処理部の排藁チェーン１０に動力が伝達され、選別部２４からはベルト伝動機構を介して排藁カッター２５に伝動される。
【００２５】
前記刈取部３の駆動系は、エンジン３０から直接伝動するのではなく、脱穀部１２の駆動系より、刈取クラッチ４３を介して伝動される。このことは、脱穀部１２が駆動されなければ、刈取部３は駆動されないことを示している。前記排出部１５の駆動系は、エンジン３０より排出クラッチ４１を介して行われる。したがって、その他の駆動系を停止しても、排出部１５のみの駆動が可能である。
【００２６】
図３及び図４に示すように、ベルトテンションクラッチ機構を、脱穀クラッチ４２のテンションクラッチ機構を例として説明する。テンションクラッチは駆動プーリ５１と従動プーリ５２の間に巻き回された動力伝達用のベルト５３と、テンションプーリ５４と、該テンションプーリ５４を回動自在に支持するテンションアーム６０等から構成されている。駆動プーリ５１と従動プーリ５２の間にベルト５３が巻回され、該駆動プーリ５１と従動プーリ５２の間にテンションプーリ５４を配置して、該テンションプーリ５４はテンションアーム６０の一端に回転自在に支持され、該テンションアーム６０の他端は機体側に枢支されて、アームやリンク等のリンク機構を介して脱穀クラッチレバー１１と連動連結されている。即ち、前記テンションアーム６０の中途部に連結アーム６１の一端が枢支され、該連結アーム６１の他端にバネ６２、ロッド６３、アーム６４、支持軸６５を介して脱穀クラッチレバー１１と連結されている。このような構成において、脱穀クラッチレバー１１を「入」側へ回動すると、リンク機構を介してテンションアーム６０が上方へ回動され、テンションプーリ５４がベルト５３を緊張して、駆動プーリ５１から従動プーリ５２へ動力を伝動する。逆に、脱穀クラッチレバー１１を「切」側へ回動すると、リンク機構を介してテンションアーム６０は下方へ回動され、テンションプーリ５４によるベルト５３の緊張が開放されて、駆動プーリ５１からは従動プーリ５２へ動力は伝達されなくなるのである。このようにして入り・切りを切り替えるようにしている。
【００２７】
そして、脱穀クラッチ４２を「切」としたときに、ベルト５３は弛むので、支持部材となるベルト押えロッド５５及びベルト押え枠５６を駆動プーリ５１と従動プーリ５２の近傍に配置し、該ベルト押え５５・５６により、クラッチが切りの際に、弛緩したベルト５３が駆動プーリ５１又は従動プーリ５２から適正な隙間を保つように構成されている。即ち、ベルト押えロッド５５は、駆動プーリ５１側に配置され、ベルト押え枠５６が従動プーリ５２側に配置されている。詳しくは、ベルト押えロッド５５は前面視コ字状に構成して、支持板５９の内面に固設され、該支持板５９は本機仕組９０にスペーサを介してボルト５７・５７により固定される。そして、ベルト押えロッド５５のコの字開放側の間にベルト５３が位置するように固定される。つまり、ベルト押えロッド５５は側面視において駆動プーリ５１の弦方向に配置されて、ベルト押えロッド５５の直角方向に折り曲げた両端部が、クラッチ「入」時にベルト５３の上面及び下面から所定距離離れてその両側に位置するように配設している。この所定距離はベルト５３の高さよりも短い長さとしてベルト５３がプーリの溝から外れない距離である。こうして、ベルト５３が駆動プーリ５１と従動プーリ５２に巻き回された状態で、クラッチ切りの状態としてベルト５３が弛緩したときに、ベルト押えロッド５５により駆動プーリ５１の溝からベルト５３が均等に浮き上がるようしている。ベルト押え枠５６は側面視略逆Ｃ字状に構成した押え部５６ａと略コ字状似構成した支持部５６ｂからなり、押え部５６ａの内面が従動プーリ５２の外周形状より若干大きくした形状とし、支持部５６ｂは押え部５６ａの背面側に固定して、本機仕組９１にボルト５８・５８により取り付けるようにしている。こうして、従動プーリ５２に巻き回されたベルト５３の従動プーリ５２側の外側にベルト押え枠５６が配置され、ベルトの円弧に沿った枠にて、弛緩時のベルト５３が従動プーリ５２側で、過多にたわむことを抑止する構成としている。
【００２８】
ここで、ベルト５３交換作業について説明する。前記ベルト５３は、長時間の使用により磨耗や材質劣化が発生するので、定期的に交換しなければならない。通常、テンションクラッチは、コンバイン１００のエンジンルーム等の内部に配置される。ベルト５３の交換の際には、まず、ベルト押えロッド５５及びベルト押え枠５６（以下、ベルト押え５５・５６とする）を取り付けているボルト５７・５８を外し、それぞれのベルト押え５５・５６を取り外す。次に、弛緩している（通常、交換作業はエンジン３０停止時に行なわれ、クラッチは切りになっている）ベルト５３を外し、新しいベルト５３を取り付け、ベルト押え５５・５６をボルト５７・５８にて取り付ける。交換作業自体は単純であるが、テンションクラッチ５０の周辺構造は複雑であり、作業者は、交換の際、ベルト押え５５・５６と間違え、他の部品を取り外すこともある。また、交換後にベルト５３外周とベルト押え５５・５６との間の隙間が適正でないこともある。また、誤って、ベルト押え５５をベルト５３の内側へ取り付けてしまい、ベルト５３を損傷することもある。
【００２９】
ここで、本発明の実施例１について詳細に説明する。通常、プーリ５１・５２やベルト５３を含めたコンバイン１００の内部機器は、黒に近い色に塗装して目立たないようにしていることがほとんどである。本実施例では、前述の、ベルト５３交換作業時に取り外し間違い、又は取り付け間違いを起こしやすいベルト押え５５・５６を他の色と異なり目立つ白に配色している。前述のベルト押えとして、代表的なベルト押えロッド５５及びベルト押え枠５６を示したが、その他ベルト交換作業時に、取り外す必要のある部品は白色に配色するものとする。図３では、脱穀クラッチ４２の例を示しているが、本実施例はコンバイン１００のその他全てのテンションクラッチ（排出クラッチ４１、刈取クラッチ４３）にも適用する。
【００３０】
このように、ベルト押え５５・５６を周囲より簡単に識別できる配色にすることで、ベルト５３交換作業時には、取り外し間違い、又は取り付け間違いを防止でき、作業効率を向上できる。すなわち、作業者は、名称や取り付け位置で取り外し対象部品を認識するのではなく、色で認識するので簡単に識別できるのである。また、ベルト押え５５・５６の白と、ベルト５３の黒のコントラストは、ベルト押え５５・５６に対するベルト５３の隙間公差の確認がしやすく、ベルト５３の交換作業、又は日常のメンテナンス作業の作業効率を向上している。さらに、ベルト押え５５・５６の白と、ベルト５３の黒のコントラストは、ベルト５３がベルト押え５５・５６に干渉した場合は、白いロッドや枠にベルト５３の黒い磨耗痕が付着するので、干渉が発見しやすい利点がある。さらに、ベルト押え５５をベルト５３の内側へ誤って取り付けていても、両方が黒色では取り付け間違いに気付きにくいが、ベルト押え５５が白色であれば気付き易い。本実施例では、ベルト押え５５・５６を白色としたが、周囲部品と識別できる色であれば白色に限定しない。
【００３１】
ここで、ボルト５７・５８を同時に白色に配色してもよい。取り外し部品を全て白色で配色し統一することで、さらに交換作業が簡単になる。また、ボルト５７・５８のみを白色に配色してもよい。この場合、効果は同様であるが、塗装のコストが大幅に削減できる。
【００３２】
さらに、実施例２では、排出クラッチ４１のベルト押え５５・５６を白色に、脱穀クラッチ４２のベルト押え（図示なし）をライトブルー色に・刈取クラッチ４３のベルト押え（図示なし）をライトグリーン色に配色する。つまり、実施例１同様に、ベルト押えの色を明るい色に配色し周囲より識別しやすくすると同時に、それぞれのテンションクラッチについても色分けするのである。ここで、配色については、それぞれが内部機器とコントラストをとれる色であり、テンションクラッチ毎に識別できれば本実施例に限定しないものとする。このように、それぞれのテンションクラッチの取り外し部品を、テンションクラッチ毎に色分けすることで、同時に複数箇所のベルト交換作業時は、外した状態でも取り外し部品がどのテンションクラッチに対応しているのかが瞬時に識別でき、ベルト交換作業の作業効率を向上している。
【００３３】
また、実施例３では、実施例２に加え、排出クラッチ４１の駆動プーリ（図示なし）及び従動プーリ（図示なし）を白色に、脱穀クラッチ４２の駆動プーリ及び従動プーリ（図示なし）をライトブルー色に・刈取クラッチ４３の駆動プーリ及び従動プーリ（図示なし）をライトグリーン色に配色する。このように、複数のテンションクラッチのべルトを交換する際には、取り外し部品が、何処の箇所の部品であるかが色の違いによって瞬時に識別でき、作業者の取り付け間違いを防止できる。つまり、作業者は、ベルト押えを、同色の駆動プーリ又は従動プーリが備わっているテンションクラッチに取り付けるのみで、楽に交換作業ができる。ここで、実施例２で紹介した各クラッチのベルト押えの色分けに対して、テンションアーム又はテンションプーリを、各ベルト押えに対応して色分けしても、同様の効果が得られる。
【００３４】
さらに、実施例４では、実施例３に加え、排出クラッチ４１のベルト５３を白色に、脱穀クラッチ４２のベルト（図示なし）をライトブルー色に、刈取クラッチ４３のベルト（図示なし）をライトグリーン色に配色する。このように、複数のテンションクラッチのべルトを交換する際には、交換ベルトが、何処の箇所のベルトであるかが色によって瞬時に識別でき、作業者の取り付け間違いを防止できる。つまり、作業者は、ベルトを、同色の駆動プーリ又は従動プーリが備わっているテンションクラッチに交換するのみで、楽に交換作業ができる。また、例えば、交換部品がまとまって収納されていた場合でも、それぞれのベルトが容易に識別できる。
【００３５】
本実施例は、誰もが使いやすい機械の考え方を農業機械のメンテナンス時に反映したものである。従来、間違いが多く、時間もかかったベルトの交換作業において、女性・高齢者・新規就農者、つまりどんな人間でも簡単に作業できるように、色による取り外し対象部品又は取り外し箇所の識別を行ない、ベルト交換作業時の作業効率を向上した。また、上述した本実施例は、テンションクラッチに適用したが、テンションクラッチのないベルト伝動部についても適用でき、ベルト交換作業時の作業効率を向上できる。
【図面の簡単な説明】
【００３６】
【図１】本発明の実施例に係るコンバインの全体的な構成を示した側面図。
【図２】コンバインのテンションクラッチの配置を示した伝動経路図。
【図３】脱穀部のテンションクラッチの概略斜視図。
【図４】同じく側面図。
【符号の説明】
【００３７】
５０    テンションクラッチ
５１    駆動プーリ
５２    従動プーリ
５３    ベルト
５４    テンションプーリ
５５    ベルト押え
５６    ベルト押え
１００    コンバイン
【図１】
0004535445.tif 000002
【図２】
0004535445.tif 000003
【図３】
0004535445.tif 000004
【図４】
0004535445.tif 000005